(57)【要約】【課題】十分な階調数を確保することが出来る駆動方法、階調数が確保され十分な画像品位が実現可能な画像表示装置を提供する。【解決手段】パッシブ（線順次駆動）型画像表示装置のデータ電極にデータが入力されてからデータがオフになった瞬間に前記データ電極をハイインピーダンス状態、または、フローティング状態にしてから、Ｇｎｄ電位に接続する、あるいはＧｎｄ電位に接続してから、ハイインピーダンス状態、または、フローティング状態にするものである。駆動用ＩＣのコストを上昇させることなく高階調表現が可能な駆動方法を提供する。【選択図】図２２
2010170140.tif 000002
【特許請求の範囲】
【請求項１】
基板上に走査電極とデータ電極とがマトリックス状に配置された有機電界発光素子を有する画像表示装置の線順次駆動方法であって、非選択な走査電極がプラスの電位に接続され、選択された走査電極がＧｎｄ電位に接続されるとともに、前記走査電極は線順次駆動され、前記非選択な走査電極がプラスの電位に接続され、前記選択された走査電極がＧｎｄ電位に接続されている期間内において、前記データ電極を定電流源に接続し、前記データ電極が前記定電流源から切り離された以降に、ある一定時間、ハイインピーダンス状態、または、フローティング状態とした後、Ｇｎｄ電位に接続することを特徴とする駆動方法。
【請求項２】
基板上に走査電極とデータ電極とがマトリックス状に配置され、該走査電極と該データ電極の交点に形成された有機電界発光素子、及び表示制御部を有する画像表示装置であって、前記表示制御部は走査電極駆動部を介して前記走査電極を線順次で駆動し、およびデータ電極駆動部を介して前記データ電極を駆動し、前記表示制御部は、非選択な走査電極をプラスの電位に接続し、選択された走査電極をＧｎｄ電位に接続するとともに、前記非選択な走査電極がプラスの電位に接続され、前記選択された走査電極がＧｎｄ電位に接続されている期間内において、前記データ電極を定電流源に接続し、前記データ電極が前記定電流源から切り離された以降に、ある一定時間、ハイインピーダンス状態、または、フローティング状態とした後、Ｇｎｄ電位に接続することを特徴とする画像表示装置。
【発明の詳細な説明】
【技術分野】
【０００１】
本発明はカーオーディオ機器、携帯機器関連等に用いられる画像表示装置およびその駆動方法に関する。
【背景技術】
【０００２】
有機ＥＬ素子などの発光素子をマトリックス状に配列した画像表示装置を線順次駆動で駆動させる場合、素子に蓄積された電荷を放電する必要が生じたり、陽極の電位によって陰極電位が変動することに伴い発光素子の充放電現象が生じることがある。この為、十分な画像品位が得られないという問題があった。そこで、この問題を回避する為に例えば特願２００３−１２１７９５に記載のように走査ドライバーの抵抗を下げたり、データ電極にデータを入力するタイミングを時間的にシフトさせることで、発光素子の充放電時間を短縮したり、充放電現象の発生を抑えることが本出願人により提案されてきた。これにより、発光素子が十分な階調を得ることが可能となり、画像品位の低下を押さえることが可能となった。
【発明の概要】
【発明が解決しようとする課題】
【０００３】
しかしながら、走査ドライバーの抵抗を下げるには走査ドライバーのコストが上昇するといった問題が発生する。又、データ電極にデータを入力するタイミングを時間的にずらして駆動させると階調数の限界が存在することが解っている。本発明は以上の点に鑑み、画像表示装置を線順次駆動させる場合に十分な階調数を確保することが出来る画像表示装置の駆動方法を提供し、階調数が確保され十分な画像品位が実現可能な画像表示装置を実現するものである。
【課題を解決するための手段】
【０００４】
本発明は以下のような構成で実現される。
（１）基板上に走査電極とデータ電極とがマトリックス状に配置された有機電界発光素子を有する画像表示装置の線順次駆動方法であって、非選択な走査電極がプラスの電位に接続され、選択された走査電極がＧｎｄ電位に接続されるとともに、前記走査電極は線順次駆動され、前記非選択な走査電極がプラスの電位に接続され、前記選択された走査電極がＧｎｄ電位に接続されている期間内において、前記データ電極を定電流源に接続し、前記データ電極が前記定電流源から切り離された以降に、ある一定時間、ハイインピーダンス状態、または、フローティング状態とした後、Ｇｎｄ電位に接続することを特徴とする駆動方法。
【０００５】
（２）基板上に走査電極とデータ電極とがマトリックス状に配置され、該走査電極と該データ電極の交点に形成された有機電界発光素子、及び表示制御部を有する画像表示装置であって、前記表示制御部は走査電極駆動部を介して前記走査電極を線順次で駆動し、およびデータ電極駆動部を介して前記データ電極を駆動し、前記表示制御部は、非選択な走査電極をプラスの電位に接続し、選択された走査電極をＧｎｄ電位に接続するとともに、前記非選択な走査電極がプラスの電位に接続され、前記選択された走査電極がＧｎｄ電位に接続されている期間内において、前記データ電極を定電流源に接続し、前記データ電極が前記定電流源から切り離された以降に、ある一定時間、ハイインピーダンス状態、または、フローティング状態とした後、Ｇｎｄ電位に接続することを特徴とする画像表示装置。
【０００６】
本発明は線順次駆動画像表示装置の駆動方法に関するものである。では具体的解決手段について述べる。一般に線順次駆動の場合、データ電極に階調データが入力され階調データがオフになると通常次の走査電極が選択され、データ電極に階調データが入力されるまでの期間、データ電極はＧｎｄ電位に接続されたままである。この場合、発光に寄与しない発光素子に蓄積された電荷を充放電させるのに必要な時間が長いと高階調表示が実現できない。そこで、発光に寄与しない発光素子の充放電時間を短くすることにより発光素子の充放電時間を短縮する。つまり、放電に要した電荷を短時間で補完することにより、高階調表現を実現するものである。具体的には、データ電極に入力されたデータがオフになった時データ電極の電位をある時間Ｇｎｄ電位に接続する。Ｇｎｄ電位に接続する時間は、非選択な走査電極に接続されかつデータが入力されていた発光素子の陰極がＧｎｄ電位から（走査電極電源電圧−発光しきい値電位）に回復する時間以上であり、この期間のある時間以降データ電極をハイインピーダンス状態、または、フローティング状態に保持するものである。そして、発光素子の電荷の補完が完了し、全ての発光素子の発光が終了した後Ｇｎｄ電位に接続するものである。
【０００７】
又、本発明の別の手段を説明する。一般に線順次駆動の場合、データ電極に階調データが入力され階調データがオフになると通常次の走査電極が選択され、データ電極に階調データが入力されるまでの期間、データ電極はＧｎｄ電位に接続されたままである。この場合、発光に寄与しない発光素子に蓄積された電荷を充放電させるのに必要な時間が長いと高階調表示が実現できない。そこで、データ電極にデータが入力され、データ電極の電位がデータオンの状態からデータオフの状態に移行する場合においてデータ電極をハイインピーダンス状態、または、フローティング状態とする期間を設けることで輝度の低下を補うように動作させる。この期間においては走査電極に接続されているドライバーＩＣからの回りこみ電流が発光素子に流れこむので、輝度の低下を抑えることが可能となるものである。つまり、非選択な走査電極に接続され、かつデータが入力されていた発光素子に逆方向に充電する電流（電荷）を選択された走査電極に接続され、かつデータが入力されていた発光素子に順方向に流すことにより、輝度の低下を抑えることができる。又、データ電極に入力されたデータがオフになった場合、オフになった瞬間からある時間の期間データ電極をハイインピーダンス状態、または、フローティング状態とする期間は非発光素子が階調表現に影響を与えない期間である。つまりハイインピーダンス状態、または、フローティング状態の期間が長いと階調データがオフになっても発光し続けてしまうので、この発光時間が階調に影響を与えない期間に設定する。そして、Ｇｎｄ電位に接続する。この時、階調データが入力された発光素子の陽極電位は非選択な走査電極電位とデータ電極電位の差より低くなる。つまり、データ電極に接続された発光素子の放電量を抑えることが可能となり、放電電荷を補完するに必要な非選択な走査電極からの充電時間は短くてすむ。よって、十分な階調表現が可能となるものである。
【発明の効果】
【０００８】
本発明によれば、有機ＥＬ表示装置に代表される容量性発光素子を使用した画像表示装置を駆動するに際し、駆動用回路のコスト上昇がなくかつ高階調画像表示駆動が可能となる。又、画像品位を確保した画像表示装置を実現できる。
【図面の簡単な説明】
【０００９】
【図１】有機ＥＬ画像表示装置の駆動回路全般まで含めた概念図である。
【図２】パッシブ型マトリックス画像表示装置の概念図である。
【図３】発光素子のマトリックス配列の概念図である。
【図４】データ電極に入力されるデータの電圧波形である。
【図５】パッシブ型マトリックス画像表示装置のデータ電極がＧｎｄ接続になった場合の概念図である。
【図６】パッシブ型マトリックス画像表示装置の選択されたデータ電極と非選択な走査電極に接続された発光素子のそれぞれの陽極電位と陰極電位図である。
【図７】暗くなったと認識される場合の説明図である。
【図８】暗くなったと認識されない場合の説明図である。
【図９】発光状態にある駆動回路と表示装置の概念図である。
【図１０】データが入力されていたデータ電極をＧｎｄ電位に接続した場合の概念図である。
【図１１】データが入力されていたデータ電極をハイインピーダンス状態、または、フローティング状態にした場合の概念図である。
【図１２】Ｍ＋１行、Ｎ＋１列のマトリックス状に発光素子が配列されている画像表示装置の概念図である。
【図１３】走査ドライバの電流−電圧特性図である。
【図１４】本発明の第２の形態の駆動方法を説明する駆動概念図である。
【図１５】本発明の第２の形態の駆動方法を説明する駆動概念図である。
【図１６】64行240列の表示装置の陽極に階調データを入力する場合の階調データを示す図である。
【図１７】本発明の第２の形態の駆動方法を説明する時間と入力データの関係を示す図である。
【図１８】従来の駆動方法を説明する時間と入力データの関係を示す図である
【図１９】実施例1.比較例1の発光素子に流れる電流を示す図である。
【図２０】実施例2.比較例2の発光素子に流れる電流を示す図である。
【図２１】有機ＥＬ画像表示装置の構造を示す図である。
【図２２】本発明の第１の形態の時間と陽極、陰極、電流の関係を示す図である。
【発明を実施するための形態】
【００１０】
通常有機ＥＬ素子から構成される画像表示装置では、データ電極に入力する為のデータドライバは定電流回路を使用することが出来る。定電流源は、外部から供給される電源電圧をレギュレートして定電流出力している。このようにレギュレータを用いることで、装置を低コストで作製することができ、経済的である。定電流用レギュレータとしては定電流素子やＦＥＴ、トランジスタを組合わせた定電流回路等を挙げることができる。代表的な例としては、カレントミラー回路で実現できる。
本発明の表示装置は、例えば図１に示すように、ディスプレイに表示するデータや、表示に関するデータを与える主制御部１０４を有し、この主制御部１０４から与えられる表示データに応じて有機ＥＬディスプレイの走査電極、データ電極を駆動する信号である走査電極駆動信号、データ電極駆動信号を送出する表示制御部１０５を有する。さらに、この表示制御部１０５と接続され、主制御部１０４等から与えられる表示データをマトリクスデータ、ビットマップデータ等に展開するためにデータや、あらかじめ決められた表示内容のデータ等を格納する表示データ記憶部１０６と、表示制御部１０５からの走査電極駆動信号、データ電極駆動信号により、有機ＥＬパネル（有機ＥＬディスプレイ本体）１０１の走査電極、データ電極を駆動する走査電極駆動部１０２と、データ電極駆動部１０３とを有する。
【００１１】
主制御部１０４は、有機ＥＬ表示器１０１に表示させる表示データを与えたり、表示データ記憶部１０６に記憶されている表示データを指定したり、表示に必要なタイミングや制御データを与えたりする。この主制御部１０４は、通常、汎用のマイクロプロセッサ（ＭＰＵ）と、このＭＰＵと接続されている記憶媒体（ＲＯＭ、ＲＡＭ等）上の制御アルゴリズム等により構成することができる。主制御部１０４は、ＣＩＳＣ、ＲＩＳＣ、ＤＳＰ等プロセッサの態様を問わず使用可能であり、その他ＡＳＩＣ等論理回路の組合せなどにより構成しても良い。また、この例では主制御部１０４を独立に設けているが、表示制御部１０５や、ディスプレイが備え付けられる装置の制御手段等と一体としてもよい。
表示制御部１０５は、主制御部１０４等から与えられる表示データ等を解析し、必要により表示データ記憶部１０６に格納されているデータを検索して、その表示データを有機ＥＬディスプレイ上の所定の位置に表示させるためのマトリクスデータに変換する。すなわち、表示する画像（イメージまたはキャラクタ）データが、各マトリクスの交点で与えられる有機ＥＬ素子の画素単位のドットデータとした場合、そのドット座標を与える走査電極とデータ電極を駆動するような信号を発生する。また、上記のような各フレーム単位での駆動や、走査電極とデータ電極の駆動比（デューティ）制御等も行なう。
表示制御部１０５は、例えば、所定の演算機能を有するプロセッサや複合論理回路、前記プロセッサ等が外部の主制御手段等とのデータの授受を行なうためのバッファ、制御回路へのタイミング信号、表示タイミング信号や外部記憶手段等への読み出し、書き込みタイミング信号等を与えるタイミング信号発生回路（発振回路）、外部の記憶手段から表示データ等の授受を行なう記憶素子制御回路、外部の記憶素子から読み出したり、外部から与えられ、あるいはこれを加工することにより得られた表示データを駆動信号として送出する駆動信号送出回路、外部から与えられる表示機能や表示させるディスプレイ等に関するデータ、制御コマンド等を格納する各種レジスタ等により構成することができる。表示データ記憶部１０６は、外部から与えられた画像データを、ディスプレイ上にマトリクスデータとして展開するためのデータ（変換テーブル）や、所定のキャラクターデータやイメージデータをそのままマトリクスデータに展開したデータ等が格納され、それぞれ必要に応じて格納位置（アドレス）を指定することにより読み出し（書き込み）が可能なようになっている。このような、表示データ記憶手段としてはＲＡＭ（ＶＲＡＭ）、ＲＯＭ等の半導体記憶素子を好ましく挙げることができるが、これに限定されるものではなく、光や磁気を応用した記憶媒体（ＣＤ−Ｒ、ＤＶＤ、ＨＤ等）を用いてもよい。
【００１２】
走査電極駆動部１０２およびデータ電極駆動部１０３は表示制御部１０５から与えられた走査電極駆動信号、データ電極駆動信号に応じて走査電極、データ電極を駆動する。有機ＥＬ表示器を構成する有機ＥＬ素子は電流駆動により発光する発光素子である。よって、データ電極の選択時供給電源としては、データ側が通常、０．００１〜１ｍＡ、走査側が通常０．００１〜３００ｍＡ程度である。
より具体的には、必要な電流容量を有する電圧−電流変換素子、あるいは増幅素子（電力増幅）等のスイッチング素子を用いて、所定位置の走査電極、データ電極を駆動する。このような駆動回路の構成として、プッシュプル回路等が挙げられる。電圧−電流変換素子、あるいは増幅素子等のスイッチング素子としては、リレー等の有接点デバイスを用いることも考えられるが、動作の高速性、信頼性を考慮すると、トランジスタ、ＦＥＴおよびこれらと同等の機能を有する半導体素子が好ましい。また、これらはＩＣ等の集積回路となってもよい。これら半導体素子は、選択電源側または非選択電源側のいずれかに走査電極、データ電極を接続する。ここで、選択電源側、非選択電源側とは直接電圧源や電流源、接地ラインに接続する場合の他、電流制限抵抗、保護用デバイス、レギュレータ等の素子を介して接続する場合も含まれる。
【００１３】
有機ＥＬパネル１０１は、複数の走査電極と、データ電極とが交差するように配置され、これら２つの任意の電極間に与えられる駆動信号により、特定の画素（有機ＥＬ素子）が発光するようになっている。マトリクス部の走査電極数、データ電極数は、そのディスプレイの大きさや精細度により適宜決められるが、通常、走査電極数が１〜７６８本、データ電極数が１〜３０７２本程度である。上記回路は有機ＥＬパネル（有機ＥＬディスプレイ本体）を駆動するための回路構成の一例にすぎず、同等な機能を有するものであれば他の回路構成をとることも可能である。また、ディスプレイ制御手段、走査電極駆動手段およびデータ電極駆動手段等と明確に分割せずにこれらが渾然一体となった構成であってもよい。なお、これらの回路装置は、通常、１種または２種以上のＩＣおよびその周辺部品として構成されている。
【００１４】
本発明の装置により駆動されるディスプレイとして、例えば、電子レンジ、電気炊飯器、エアコン、ビデオ、オーディオ装置等の家電製品の表示器、自動車、二輪車の速度計、回転計、ナビゲーションシステム、オーディオパネル等の各種表示器、各種航空機、管制施設等に用いられる各種計器等の好適に使用される。
【００１５】
有機ＥＬ発光素子に代表される容量性発光素子をマトリックス状に配置した画像表示装置を駆動するに当たり、走査電極（陰極）を線順次駆動し、データ電極（陽極）に画像データを入力することで画像表示を実現するパッシブ型（線順次駆動）マトリックス画像表示装置が知られている。本発明はパッシブ型マトリックス画像表示装置に関するものである。図２にパッシブ型マトリックス画像表示装置の概念図を示す。これは画像表示装置全体の概念図であり、発光素子はマトリックス状に配置され、発光素子数は走査電極（陰極）数×データ電極（陽極）数の数存在する。簡単の為、発光素子が３×３の場合について考える（図３）。今、走査電極（陰極）が接続され、データ電極（陽極）にデータが入力された場合について考える。図４にデータ電極に入力されるデータの電圧波形を示す。今、Ｄ２、Ｄ３がオフ（Ｇｎｄ）になった瞬間を考える（図５）。この時、Ｃ１.２、Ｃ１.３の陰極はＶｏ−Ｖｄになり、陽極はＣ１.２、Ｃ１.３電位差を保持したままの状態でＧｎｄ電位になる。この時間以降以下の現象が起きる。まず、非選択な走査電極に接続されかつデータ電極電位が０（オフ）の素子は非選択な走査電極からの充電が行われる。これは非選択な走査電極かつデータオフに掛かる素子の陰極がＶｏ−Ｖｄ電位からＶｏ電位に移行することに相当する。従って、この充電に要する時間は非選択な走査ドライバの抵抗をαとすると、９５％以上の充電が完了するには以下の式で示される。
Ｔｃ＝（（−Ｌｎ（１−０．９５））−（Ｌｎ（Ｖｏ−Ｖｄ／Ｖｏ）））αＣ（Ｓｅｃ）
となる。
【００１６】
又、非選択な走査電極かつデータオンに掛かる素子では以下のような現象が起きる。この素子の陽極は０〜Ｖｄに、陰極はＶｏ−ＶｄからＶｏに遷移するように充放電が起きる（図６）。これは図６より明らかである。ここで、陽極が定電流源である場合について考える。ではＣ１.１、Ｃ２.１についての挙動を考えてみる。Ｖｄは定電流源であるから、まずデータ電極オンから全ての素子にほぼ均等に電流が流れる。これは、図６より明らかなように非選択な走査ドライバに接続された陰極とデータドライバに接続された陽極の電位差はＶｏ−Ｖｄから減少していることからも明らかである。つまり、ある時間まではデータ電極に接続された素子は順方向の充電が行われる。そして、同時にデータオフに掛かる非選択な走査電極にかかる陰極もＶｏ−ＶｄからＶｏまで上昇していき、この素子にかかる電圧は一般的にはＥＬ素子の順方向電圧にはならない、つまり、負符号を保ったまま、その絶対値が小さくなるような放電がおきるものである。そして、ある時間が経過した後（非選択な走査ドライバとデータドライバの電位差が最小になった時間以降）、非選択な走査電極かつデータオフのＥＬ素子は逆方向の充電が開始される。よって、この時間以降は非選択な走査電極かつデータオンのＥＬ素子（Ｄ１）はＣ１.１〜Ｃ６３.１素子が十分逆方向に充電される時間の間はみかけ上電流が上昇したように電圧が上昇する。この時間は非選択な走査ドライバの陰極電圧が上昇する時間に依存するものである。そして、最終的には、非選択な走査ドライバの陰極がＶｏに達し、データドライバは多少のオーバーシュート時間を経過して、定常時状態になるものである（図６）。図から明らかなようにこの一連の状態は非選択な走査ドライバの電位に依存し、データドライバの電位が決定されるものである（走査ドライバが充電する必要のあるＥＬ素子数に依存する）から、αの値を小さく選定することが重要である。（陽極の定電流源が十分な電流供給能力がある場合は非選択な走査電極に接続されたデータオフＥＬ素子の充電時間に律速される。）又、αは電圧依存の抵抗分であるため、実際のＴｃはより長くなる傾向にあることも図６から明らかである。更にこの場合、データ電極は一度オーバーシュートするので、そのオーバーシュート分を補正するために放電が行われる必要がある。ここに要する時間ＴはＣ１．１〜Ｃ６３．１で放電された電荷分に相当する電荷を充電するのであるから、その全電荷をＱとすると以下の式で示される。Ｉ：Ｄ１に流れる電流としてＴ＝Ｑ／Ｉ（Ｓｅｃ）となる。
【００１７】
又、走査ドライバは一般的に高電圧領域ではその抵抗が高く、定電流源に近い動作を行う。よって、データ電極がオフになった瞬間には走査ドライバと選択された走査電極間はＶｏ−（Ｖｏ−Ｖｄ）＝Ｖｄ電位になり、そこから０電位に移行するように動作する。この場合、低電圧域では抵抗として動作する。よって、データ電極がオフになった瞬間からある時間までは、走査ドライバはＣＲ積で決定される時間に十分な電流が供給されない場合には定電流として動作を行い、ある時間以降、抵抗として動作を行いＣＲ積で決定される時間までの充電を行うものである。
【００１８】
つまり、選択された走査電極の電位は走査ドライバの供給能力に律速され、定電流領域（Ｑ／Ｉで決定される時間）＋抵抗領域（ＣＲ積で決定される時間）の時間和で決定されるものである。又、データ電極の電位は充放電量に依存し、最初は放電が起き、ある時間以降充電が行われる。そして、充電電荷と放電電荷は等しくなるように動作するものである。ここで、データ電極は初期の放電時間に対して充電時間がとれずにリセット動作（陰極と陽極をＧｎｄ電位とする。）を行うと人間には暗くなったと認識されるものである（図７）。無論、データドライバ、走査ドライバの能力が十分な場合は充放電時間は短くなり、暗くなったとは認識されないと考えられる（図８）。
【００１９】
では、本発明の第１の駆動方法の形態について説明する。上述したようにデータ電極電位が０になった瞬間以降、データ電極がデータ電位に接続された発光素子の輝度が低下する現象が発生する場合がある。そこで、以下のような駆動方法を考える。図９の発光状態からＤ２、Ｄ３素子がＧｎｄ電位になった（データ電極がオフ）瞬間以降、非選択な走査電極電位がＶｏ−Ｖｔｈ（Ｖｔｈ：発光しきい値）になる時間まではデータが入力されていたデータ電極をＧｎｄ電位に接続する（図１０）。そして、非選択な走査電極電位がＶｏ−Ｖｔｈになった時間以降はデータが入力されていたデータ電極をハイインピーダンス状態、または、フローティング状態にする（図１１）。このような駆動を行った場合、以下の現象が起きる。データが入力されていたデータ電極がＧｎｄに接続された瞬間、非選択な走査電極電位はＶｏ−Ｖｄになる。尚、データ電極のＧｎｄ電位に接続されるインピーダンスは非選択な走査電極のインピーダンスより十分低いものとする。そして、この時間以降、非選択な走査電極に接続された非発光素子は走査ドライバから充電されるので、非選択な走査電極に接続された非発光素子の陰極電位はＶｏ−ＶｄからＶｏまで上昇する。ここで、非選択な走査電極に接続された非発光素子の陰極電位がＶｏ−Ｖｔｈになる時間までは充電を行う。ここでデータが入力されていたデータ電極をハイインピーダンス状態、または、フローティング状態とすれば、非選択な走査電極に接続された非発光素子の陰極電位はＶｏ電位を保持したまま、且つ陽極電位はＶｔｈを保持するので、非選択な走査電極に接続された非発光素子は発光することはない。つまり、非選択な走査電極電位がＶｏ−ＶｄからＶｏ−Ｖｔｈになる時間までは非発光素子の充電が起きるがそれ以降は余計な充電は起きない。よって、データが入力されていたデータ電極をハイインピーダンス状態、または、フローティング状態にしない場合に比較して充放電量が少なくなり、選択された走査電極に接続されデータ電極に接続された発光素子の充放電量も少なくて済む。従って、従来の方法と比較して消費が少なくて済む。又、この駆動方法を使用することで、発光素子にかかる電圧が低下した場合、電圧が回復し定常的な電圧になる時間はデータが入力されていたデータ電極をハイインピーダンス状態、または、フローティング状態にしない場合に較べて短くてすむので、多階調表現が可能となるものである。
【００２０】
では具体的にパッシブ型画像表示装置においてマトリックス状の配置された発光素子を走査ドライバーと定電流回路で駆動させる場合について考えてみる。図１２に示されるように、Ｍ＋１行、Ｎ＋１列のマトリックス状に発光素子が配列されている画像表示装置を考える。図１２は１行１列目の発光素子が発光している場合であり、陽極（データ電極）には定電流源が、陰極（走査電極）には走査ドライバが接続されているものとする。ここで、定電流源の電流値をＩｏとして、走査ドライバの特性は近似的に図１３に示されるように、駆動電圧に対して走査ドライバが抵抗動作と定電流動作をすると、走査ドライバの電流値をＩ、走査ドライバの電圧をＶ、走査ドライバの電源電圧をＶｏ、抵抗動作から定電流動作に以降する電圧をＶｏｔｈ、定電流動作を行う場合の電流をＩｓｏ、走査ドライバの抵抗をＲとすると、０≦Ｖ≦Ｖｏｔｈの時はＩ＝Ｉｓｏ、Ｖｏｔｈ≦Ｖ≦Ｖｏの時はＩ＝（Ｖｏ−Ｖ）／Ｒで示される。又、発光素子の特性は発光しきい値電圧をＶｔｈとして、駆動電圧をＶＤ、発光素子に流れる電流値をＩＤとすると、０≦ＶＤ≦Ｖｔｈの時はＩＤ＝０、Ｖｔｈ≦ＶＤの時はＩＤ＝（ＶＤ−Ｖｔｈ）・Ｘ１と示される。ここでＸ１は発光素子に依存する定数である。ここで、走査ドライバが非選択の場合の非発光素子にかかる陰極電圧をＶとして、以下の時間に分けて動作を考える。つまり、Ｎ＋１列が全て定電流源に陽極が接続されている状態からＮ列（第１列以外）全てがＧｎｄ接続になった瞬間以降を以下の４段階に分けて考える。（I）ＶＤ≦ＶｔｈかつＶ≦Ｖｏｔｈの場合。（II）（ＶＤ≦ＶｔｈかつＶ≧Ｖｏｔｈの場合。（III）ＶＤ≧Ｖｔｈの場合。（IV）Ｖ＝Ｖｏ−Ｖｔｈになる時間以降、データが入力されていたデータ電極をハイインピーダンス状態、または、フローティング状態とする。
【００２１】
（I）の場合
図１２で示されるようにデータ電極が接続されている発光素子と同列方向に配置されている発光素子をＣ０、Ｃ３として、Ｃ０と同一行に接続されている発光素子をＣ１，Ｃ２とし、Ｃ３と同一行に接続されている発光素子をＣ４，Ｃ５とする。定電流源の電流値が走査ドライバの電流値より十分小さいとすると、Ｉｓｏ＞＞ＩＤ／Ｍであるから、ＩＤのＣ１，Ｃ２，Ｃ４，Ｃ５への充電（チャージ）に対するＩｏの影響は無視出来るので、各発光素子（Ｃ０〜Ｃ５）への充電（チャージ）は走査ドライバのみを考えればよいことになる。つまり、走査ドライバの定電流動作電流で決定されるので、Ｃ０，Ｃ３が接続されている陰極電位（走査電極が非選択の電位）は以下のように示される。Ｃを発光素子の容量として、Ｖ＝（１／ＮＣ）・∫Ｉｓｏ・ｄｔ＝Ｉｓｏ・ｔ／ＮＣ＋Ｃｏｎｓｔで示される。発光していない状態にある発光素子Ｃ０〜Ｃ５は走査ドライバと定電流源の電位差をＶｃｏとすると、ｔ＝０の時、Ｖ＝Ｖｃｏとなるので、Ｖ＝Ｉｓｏ・ｔ／ＮＣ＋Ｖｃｏとなる。ＶＤはＶからＣ０に充電されている電圧（Ｖｃ）を足せばよいので、ＶＤ＝Ｖ＋Ｖｃ＝Ｉｓｏ・ｔ／ＮＣ＋Ｖｃｏ＋（１／Ｃ）・∫（ＩＤ／Ｍ）・ｄｔ＝Ｉｓｏ・ｔ／ＮＣ＋Ｖｃｏ＋ＩＤ・ｔ／ＣＭ＋Ｃｏｎｓｔ。ｔ＝０の時、ＶＤ＝０だからＣｏｎｓｔ＝−Ｖｃｏ。よって、ＶＤ＝Ｉｓｏ・ｔ／ＮＣ＋ＩＤ・ｔ／ＣＭ。又、ＩＤ＝０である。ｔの範囲はＶ≦ＶｏｔｈかつＶＤ≦Ｖｔｈだから、Ｉｓｏ・ｔ／ＮＣ＋Ｖｃｏ≦ＶｏｔｈかつＩｓｏ・ｔ／ＮＣ＋ＩＤ・ｔ／ＣＭ≦Ｖｔｈである。つまり、ｔ≦（Ｖｏｔｈ−Ｖｃｏ）・ＮＣ／Ｉｓｏ≡ｔ０かつｔ≦Ｖｔｈ／（Ｉｓｏ／ＮＣ＋Ｉｏ／ＭＣ）である。
【００２２】
（II）の場合
電流の経緯は（I）と同様であるので、Ｖ＝（１／ＮＣ）∫（Ｖｏ／Ｒ−Ｖ／Ｒ）・ｄｔ
と示される。
これを解くとＶ＝Ｃｏｎｓｔｌ・ＥＸＰ（−ｔ／ＮＣＲ）＋Ｃｏｎｓｔ２である。ｔ→∞でＶ＝Ｖｏより、Ｃｏｎｓｔ２＝Ｖｏである。ｔ＝ｔ０で（I）と境界が一致する必要があるので、Ｖｏｔｈ＝Ｃｏｎｓｔ１・ＥＸＰ（（Ｖｏｔｈ−Ｖｃｏ）・ＮＣ／（Ｉｓｏ・ＮＣＲ））＋Ｖｏだから、Ｃｏｎｓｔ１＝（Ｖｏｔｈ−Ｖｏ）／ＥＸＰ（−（Ｖｏｔｈ−Ｖｃｏ）／Ｉｓｏ・Ｒ）。よって、Ｖ＝Ｖｏ−（（Ｖｏ−Ｖｏｔｈ）・ＥＸＰ（−ｔ／ＮＣＲ））／ＥＸＰ（−（Ｖｏｔｈ−Ｖｃｏ）／Ｉｓｏ・Ｒ）である。
（Ｖｏ−Ｖｏｔｈ）／ＥＸＰ（−（Ｖｏｔｈ−Ｖｃｏ）／Ｉｓｏ・Ｒ）≡Ｘ０として、ＶＤ＝Ｖ＋Ｖｃ＝（Ｖｏ−Ｘ０・ＥＸＰ（−ｔ／ＮＣＲ）＋（１／Ｃ）・∫（ＩＤ／Ｍ）・ｄｔで）である。Ｖと同様に境界を合わせるとＶＤ＝Ｖｏ−Ｖｃｏ＋ＩＤ・ｔ／ＣＭ−Ｘ０・ＥＸＰ（−ｔ／ＮＣＲ）となる。又、ＩＤ＝０である。ｔの範囲はＶＤ≦Ｖｔｈより、Ｖｏ−Ｖｃｏ＋ＩＤ・ｔ／ＣＭ−Ｘ０・ＥＸＰ（−ｔ／ＮＣＲ）≦Ｖｔｈ。つまり、ＩＤ・ｔ／ＣＭ−Ｘ０・ＥＸＰ（−ｔ／ＮＣＲ）≦Ｖｔｈ＋Ｖｃｏ−Ｖｏである。よって、ｔ≦ｔ１とすると、ＩＤ・ｔ／ＣＭ−Ｘ０・ＥＸＰ（−ｔ／ＮＣＲ）は単調増加関数なので、ＩＤ・ｔ１／ＣＭ−Ｘ０・ＥＸＰ（−ｔ１／ＮＣＲ）＝Ｖｔｈ＋Ｖｃｏ−Ｖｏでｔ１は規定される。
【００２３】
（III）の場合
Ｉｓ＞＞ＩＤ／Ｍと考え、Ｖは（II）と同様である。発光素子は発光を開始するのでその電流をＩ１として、データ電極に接続され、かつ走査ドライバが非選択な走査電極電位に接続された発光素子に流れる電流をＩ２とすると、ＶＤ＝Ｖ＋（１／ＭＣ）∫Ｉ２・ｄｔ＝Ｖ＋（１／ＭＣ）∫（Ｉ０−Ｉ１）・ｄｔ＝Ｖ＋（１／ＭＣ）∫（Ｉ０−（ＶＤ−Ｖｔｈ）・Ｘ１）・ｄｔである。一般にｙ´+ｆ（ｔ）・ｙ＝ｒ（ｔ）の解はｙ＝ＥＸＰ（−ｈ）・（∫ＥＸＰ（ｈ）・ｒ（ｔ）・ｄｔ＋Ｃ）かつｈ＝∫ｆ（ｔ）・ｄｔである。ＶＤを微分して整理すると、ＶＤ´＋ＶＤ・Ｘ１／ＭＣ＝Ｖ´＋Ｉｏ／ＭＣ＋Ｖｔｈ・Ｘ１／ＭＣかつｈ＝∫（Ｘ１／ＭＣ）・ｄｔ＝Ｘ１・ｔ／ＭＣ＋定数。この定数は最終的に相殺されるので無視できる。よって、ｙ＝ＶＤであるので、ＶＤ＝ＥＸＰ（−Ｘ１・ｔ／ＭＣ）（∫ＥＸＰ（Ｘ１・ｔ／ＭＣ）・（Ｖ´＋Ｉｏ／ＭＣ＋Ｖｔｈ・Ｘ１／ＭＣ）・ｄｔ＋ｃｏｎｓｔ）である。Ｖは（II）と同様であるので、最終的にはＶＤ＝Ｖｔｈ＋Ｉｏ／Ｘ１＋ＭＣ・Ｘ０・ＥＸＰ（−ｔ／ＮＣＲ）／（ＮＣＲ・Ｘ１−ＭＣ）＋Ｃｏｎｓｔ・ＥＸＰ（−Ｘ１・ｔ／ＭＣ）である。但、Ｘ０＝（Ｖｏ−Ｖｏｔｈ）／ＥＸＰ（−（Ｖｏｔｈ−Ｖｃｏ）／Ｉｓｏ・Ｒ）とする。境界条件はｔ＝ｔ１でＶＤ＝Ｖｔｈである。これより、ＶＤ＝Ｖｔｈ＋Ｉｏ／Ｘ１＋Ｍ・Ｘ０・ＥＸＰ（−ｔ／ＮＣＲ）／（ＮＲ・Ｘ１−Ｍ）＋（（−Ｉｏ／Ｘ１−Ｍ（Ｖｏ＋Ｉｏ・ｔ１／ＭＣ−Ｖｔｈ−Ｖｃｏ））・ＥＸＰ（Ｘ１・ｔ１／ＭＣ）／（ＮＲ・Ｘ１−Ｍ））・ＥＸＰ（−Ｘ１・ｔ／ＭＣ）である。但、Ｘ０＝（Ｖｏ−Ｖｏｔｈ）／ＥＸＰ（−（Ｖｏｔｈ−Ｖｃｏ）／Ｉｓｏ・Ｒ）とする。又、ＩＤ＝（ＶＤ−Ｖｔｈ）・Ｘ１である。
【００２４】
（IV）の場合
Ｖ＝Ｖｏ−Ｖｔｈになる時間ｔ２でデータ電極をハイインピーダンス状態、または、フローティング状態とする。Ｖｏ−Ｖｔｈ＝Ｖｏ−Ｘ０・ＥＸＰ（−ｔ２／ＮＣＲ）である。従って、ｔ２＝−ＮＣＲ・Ｌｎ（Ｖｔｈ／Ｘ０）である。Ｖ＝（１／Ｃ）・∫（１／Ｎ）・（Ｖｏ／Ｒ−Ｖ／Ｒ）・ｄｔ＋（１／Ｃ）・∫（Ｍ／Ｎ）・（Ｖｏ／Ｒ−Ｖ／Ｒ）・ｄｔ＝（（Ｍ＋１）／ＣＮＲ）・∫（Ｖｏ−Ｖ）・ｄｔである。これを解くとＶ＝Ｖｏ＋Ｃｏｎｓｔｌ・ＥＸＰ（−（Ｍ＋１）ｔ／ＮＣＲ）である。境界条件より、Ｖｏ−Ｖｔｈ＝Ｖｏ＋Ｃｏｎｓｔｌ・ＥＸＰ（−（Ｍ＋１）ｔ２／ＮＣＲ）であるので、Ｖ＝Ｖｏ−（Ｘ０Ｍ+１／ＶｔｈＭ）・ＥＸＰ（−（Ｍ＋１）・ｔ／ＮＣＲ）。又、ＶＤ＝Ｖ＋（１／ＭＣ）∫Ｉ２・ｄｔであるから、（III）と同様にして微分して整理すると、ＶＤ´＋ＶＤ・Ｘ１／ＭＣ＝Ｖ´＋Ｉ０／ＭＣ＋Ｖｔｈ・Ｘ１／ＭＣであり、この解は（III）と同様に、ＶＤ＝（Ｍ（Ｍ＋１）／（ＮＲ・Ｘ１−Ｍ（Ｍ＋１）））・Ｘ０Ｍ+１・ＥＸＰ（−（Ｍ＋１）・ｔ／ＮＣＲ）／ＶｔｈＭ＋Ｉ０／Ｘ１＋Ｖｔｈ＋ＥＸＰ（−Ｘ２・ｔ／ＭＣ）・Ｃｏｎｓｔである。但、Ｃｏｎｓｔ＝（−Ｉｏ／Ｘ１−Ｍ・（Ｖｏ＋Ｉｏ・ｔ１／ＭＣ−Ｖｔｈ−Ｖｃｏ）／（ＮＲ・Ｘ１−Ｍ）・ＥＸＰ（Ｘ１・（ｔ１−ｔ２）／ＭＣ）＋（Ｍ・Ｘｏ／ＮＲ・Ｘ１−Ｍ）・ＥＸＰ（Ｘ１・ｔ２／ＭＣ−ｔ２／ＮＣＲ）−（Ｍ（Ｍ＋１）・Ｘ０・Ｘ０Ｍ／（（ＮＲ・Ｘ１−Ｍ（Ｍ＋１））・ＶｔｈＭ））・ＥＸＰ（Ｘ１・ｔ２／ＭＣ−（Ｍ＋１）・ｔ２／ＮＣＲ）である。
【００２５】
以上で示されたＶ、ＶＤ、ＩＤを図示すると図２２（Ａ）、図２２（Ｂ）、図２２（Ｃ）のようになる。尚、従来例はデータ電極をハイインピーダンス状態、または、フローティング状態にしない場合である。これより、データ電極をハイインピーダンス状態、または、フローティング状態にすることで陽極電位、陰極電位ともに、電圧の回復時間が短いことが解る。又、データ電極に流れる電流も短い時間で定常状態になることが解る。つまり、回復時間が長いとその時間だけ輝度が低下してしまい回復するまでの時間を待たないと輝度の回復がないので、人間には暗くなったと認識されてしまう。よって、回復時間を短くすることにより、輝度回復の時間は短くなるので、多階調表現が可能となるものである。
【００２６】
次に、本発明の第２の駆動方法の形態について説明する。上述したようにデータ電極電位が０になった瞬間以降、データ電極がデータ電位に接続された発光素子の輝度が低下する現象が発生する場合がある。そこで、以下のような駆動方法を考える。図９の状態から図１４（Ａ）のようにＤ３素子のデータ電極がオフになった瞬間以降、ある期間データが入力されていたデータ電極をハイインピーダンス状態、または、フローティング状態にする。このような駆動を行った場合、以下の現象が起きる。データが入力されていたデータ電極がハイインピーダンス状態、または、フローティング状態にされた瞬間、ハイインピーダンス状態、または、フローティング状態にされた電位はＶｄになる。尚、データ電極のＧｎｄ電位に接続されるインピーダンスは非選択な走査電極のインピーダンスより十分低いものとする。そして、このある時間この状態を維持した以降、データが入力されていたデータ電極をＧｎｄ接続とする。このとき、選択された走査電極に接続された非発光素子は走査ドライバから充電されるので、非選択な走査電極の陰極電位をＶｓとすると、非選択な走査電極に接続された非発光素子の陰極電位はＶｓからＶｏまで上昇する。ここでＶｓはハイインピーダンス状態、または、フローティング状態の期間が存在することにより、Ｄ３素子が発光しきい値になる電圧まではＣ２素子の充電が行われる。このためＤ３素子の陽極をＧｎｄ電位に接続した時、ＶｓはＶｏ−Ｖｄ電位まで低下することはなく、Ｇｎｄに接続した瞬間から始まる非選択なＣ０、Ｃ１発光素子の充電は少なくてすむ。従って、データ電極が接続された発光素子の輝度低下が抑えられるものである。又、ハイインピーダンス状態、または、フローティング状態の期間において、データ電極にデータが入力されていた発光素子が発光しきい値になる電圧までは非選択な走査電極に接続され、かつデータが入力されていた発光素子に逆方向に充電する電流（電荷）を選択された走査電極に接続され、かつデータが入力されていた発光素子に順方向に流すことが可能となるので、輝度の低下を抑えることができる。
【００２７】
次に本発明に使用される有機ＥＬディスプレイパネルを構成する素子構造について説明する。有機ＥＬディスプレイ１は、例えば、図２１に示すように、一方の基板上２２に、ホール注入電極（陽極）、ホール注入・輸送層、発光および電子注入輸送層、電子注入電極（陰極）、必要により保護層が積層され、これを反転して他方の基板２１との間に有機層を挟み込んだ構成を有する。なお、図示例では一方の引き出し電極２３が、他方の引き出し電極２４と直交する方向に配置されているが、一方の引き出し電極２３を、他方の引き出し電極２４の基板２１を挟んだ反対側に配置してもよい。
【００２８】
本発明の有機ＥＬディスプレイは、上記の構成例に限らず、種々の構成とすることができ、セグメントタイプのものであってもよく、例えば発光層を単独で設け、この発光層と電子注入電極との間に電子注入輸送層を介在させた構造とすることもできる。また、必要に応じ、ホール注入・輸送層と発光層とを混合しても良い。電子注入電極はスパッタ法や真空蒸着等により成膜し、発光層等の有機物層は真空蒸着等により、ホール注入電極は蒸着やスパッタ等により成膜することができるが、これらの膜のそれぞれは、必要に応じてマスク蒸着または膜形成後にエッチングなどの方法によってパターニングされ、これによって、所望の発光パターンを得ることができる。電極成膜後に、ＳｉＯＸ等の無機材料、テフロン（登録商標）等の有機材料等を用いた保護膜を形成してもよい。保護膜は透明でも不透明であってもよく、保護膜の厚さは５０〜１２００ｎｍ程度とする。保護膜はスパッタ法、蒸着法等により形成すればよい。さらに、素子の有機層や電極の酸化を防ぐために素子上に封止層を形成することが好ましい。封止層は、湿気の侵入を防ぐために市販の低吸湿性の光硬化性接着剤、エポキシ系接着剤、シリコーン系接着剤、架橋エチレン−酢酸ビニル共重合体接着剤シート等の接着性樹脂層を用いて、ガラス板等の封止板を接着し密封する。ガラス板以外にも金属板、プラスチック板等を用いることもできる。発光層は、ホール（正孔）および電子の注入機能、それらの輸送機能、ホールと電子の再結合により励起子を生成させる機能を有する。発光層には比較的電子的にニュートラルな化合物を用いることが好ましい。ホール注入輸送層は、ホール注入電極からのホールの注入を容易にする機能、ホールを安定に輸送する機能および電子を妨げる機能を有し、電子注入輸送層は、電子注入電極からの電子の注入を容易にする機能、電子を安定に輸送する機能およびホールを妨げる機能を有するものであり、これらの層は、発光層に注入されるホールや電子を増大・閉じこめさせ、再結合領域を最適化させ、発光効率を改善する。発光層の厚さ、ホール注入輸送層の厚さおよび電子注入輸送層の厚さは特に限定されず、形成方法によっても異なるが、通常、５〜５００ｎｍ程度、特に１０〜３００ｎｍとすることが好ましい。ホール注入輸送層の厚さおよび電子注入輸送層の厚さは、再結合・発光領域の設計によるが、発光層の厚さと同程度もしくは１／１０〜１０倍程度とすればよい。ホールもしくは電子の、各々の注入層と輸送層を分ける場合は、注入層は１ｎｍ以上、輸送層は１ｎｍ以上とするのが好ましい。このときの注入層、輸送層の厚さの上限は、通常、注入層で５００ｎｍ程度、輸送層で５００ｎｍ程度である。このような膜厚については注入輸送層を２層設けるときも同じである。発光層には発光機能を有する化合物である蛍光性物質を含有させる。このような蛍光性物質としては、例えば、特開昭６３−２６４６９２号公報に開示されているような化合物、例えばキナクリドン、ルブレン、スチリル系色素等の化合物から選択される少なくとも１種が挙げられる。また、トリス（８−キノリノラト）アルミニウム等の８−キノリノールないしその誘導体を配位子とする金属錯体色素などのキノリン誘導体、テトラフェニルブタジエン、アントラセン、ペリレン、コロネン、１２−フタロペリノン誘導体等が挙げられる。さらには、特願平６−１１０５６９号のフェニルアントラセン誘導体、特願平６−１１４４５６号のテトラアリールエテン誘導体等を用いることができる。また、それ自体で発光が可能なホスト物質と組み合わせて使用することが好ましく、ドーパントとしての使用が好ましい。このような場合の発光層における化合物の含有量は０．０１〜１０wt%、さらには０．１〜５wt%であることが好ましい。ホスト物質と組み合わせて使用することによって、ホスト物質の発光波長特性を変化させることができ、長波長に移行した発光が可能になるとともに、素子の発光効率や安定性が向上する。基板材料としては、ガラスや石英、樹脂等の透明ないし半透明材料を用いる。また、基板に色フィルター膜や蛍光性物質を含む色変換膜、あるいは誘電体反射膜を用いて発光色をコントロールしてもよい。色フィルター膜には、液晶ディスプレイ等で用いられているカラーフィルターを用いれば良いが、有機ＥＬの発光する光に合わせてカラーフィルターの特性を調整し、取り出し効率・色純度を最適化すればよい。また、ＥＬ素子材料や蛍光変換層が光吸収するような短波長の外光をカットできるカラーフィルターを用いれば、素子の耐光性・表示のコントラストも向上する。また、誘電体多層膜のような光学薄膜を用いてカラーフィルターの代わりにしても良い。色変換膜は、ＥＬ発光の光を吸収し、色変換膜中の蛍光体から光を放出させることで、発光色の色変換を行うものであるが、組成としては、バインダー、蛍光材料、光吸収材料の三つから形成される。有機ＥＬディスプレイは、直流駆動型や、交流駆動またはパルス駆動として用いられる。駆動させるための印加電圧は、通常、２〜２０Ｖ程度とされる。
【実施例１】
【００２９】
６４行、２４０列のマトリックス状に配列されたパッシブ型有機ＥＬ表示装置において、定電流源の電流値を３００（μＡ）、走査ドライバの定電流動作電流を２．４（ｍＡ）、抵抗動作に移行する電圧を１０（Ｖ）、走査ドライバの駆動電圧を１８（Ｖ）、走査ドライバが電源電圧に接続された場合の抵抗値を３.３３ｋΩ、単位有機ＥＬ素子の容量を１８（ｐＦ）、有機ＥＬ素子の特性を素子に掛かる電圧が０〜７Ｖの場合、電流値＝０（Ａ）、有機ＥＬ素子の特性を素子に掛かる電圧が７Ｖ以上の場合、有機ＥＬ素子に掛かる電圧をＶとして、電流値＝６０（Ｖ−７）（μＡ）とする。今、走査電極（陰極）数が６４、データ電極（陽極）数が２４０の場合について考える。今、１行２４０列の全発光素子が発光している状態から、１行１列素子のみ発光する状態に移行する場合を考える。（I）データ電位≦７かつ選択された走査電極電位≦１０の場合。（II）データ電極電位≦７かつ選択された走査電極電位≧１０の場合。（III）データ電極電位≧７の場合。（IV）選択された走査電極電位＝１１になる時間以降、選択されていないデータ電極をハイインピーダンス状態、または、フローティング状態にする場合の４種類にわけて、それぞれ、非選択な走査電極電位、データ電極電位、有機ＥＬ素子に流れる電流値を求めると時間をｔとして、
（I）の場合、非選択線な走査電極電位＝０．５５８・１０６・ｔ＋６（Ｖ）、データ電極電位＝０．８２３・１０６・ｔ（Ｖ）、有機ＥＬ素子に流れる電流値＝０である。又、この時間はｔ≦８．５１・１０−６且つ、ｔ≦７．１７・１０−６より、ｔ≦７．１７・１０−６（秒）である。
（II）の場合、非選択な走査電極電位＝１８−１３．３・ＥＸＰ（−１０６・ｔ／１４．２）（Ｖ）、データ電極電位＝１２−１３．３・ＥＸＰ（−１０６・ｔ／１４．２）＋０．２６５・１０６・ｔ（Ｖ）、有機ＥＬ素子に流れる電流値＝０である。又、この時間は７．１７・１０−６≦ｔ≦８．５７・１０−６（秒）である。
（III）の場合、非選択な走査電極電位＝１８−１３．３・ＥＸＰ（−１０６・ｔ／１４．２）（Ｖ）、データ電極電位＝１２−５５．１・ＥＸＰ（−６９．７・１０３・ｔ）＋３９．５・ＥＸＰ（−５２．９・１０３・ｔ）（Ｖ）、有機ＥＬ素子に流れる電流値＝６０・１０−６・（５−５５．１・ＥＸＰ（−６９．７・１０３・ｔ）＋３９．５・ＥＸＰ（−５２．９・１０３・ｔ）である。又、この時間は８．５７・１０−６≦ｔ≦９．２０・１０−６（秒）である。
（IV）の場合、データ電極をハイインピーダンス状態、または、フローティング状態に変更する時間を９．２０・１０−６（秒）以降として、非選択な走査電極電位＝１８−４．６７・１０１８・ＥＸＰ（−４．４６・１０６・ｔ）（Ｖ）、データ電極電位＝１２−１．０１１．３３・ＥＸＰ（４０．６−４．４７・１０６・ｔ）＋４．４０・ＥＸＰ（−５２．９・１０４・ｔ）（Ｖ）、有機ＥＬ素子に流れる電流値＝６０・１０−６・（５−５５．１・ＥＸＰ（−６９．７・１０３・ｔ）＋３９．５・ＥＸＰ（−５２．９・１０３・ｔ）である。
[比較例１]
【００３０】
６４行、２４０列のマトリックス状に配列されたパッシブ型有機ＥＬ表示装置において、定電流源の電流値を３００（μＡ）、走査ドライバの定電流動作電流を２．４（ｍＡ）、抵抗動作に移行する電圧を１０（Ｖ）、走査ドライバの駆動電圧を１８（Ｖ）、走査ドライバが電源電圧に接続された場合の抵抗値を３.３３ｋΩ、単位有機ＥＬ素子の容量を１８（ｐＦ）、有機ＥＬ素子の特性を素子に掛かる電圧が０〜７Ｖの場合、電流値＝０（Ａ）、有機ＥＬ素子の特性を素子に掛かる電圧が７Ｖ以上の場合、有機ＥＬ素子に掛かる電圧をＶとして、電流値＝６０（Ｖ−７）（μＡ）とする。今、走査電極（陰極）数が６４、データ電極（陽極）数が２４０の場合について考える。今、１行２４０列の全発光素子が発光している状態から、１行１列素子のみ発光する状態に移行する場合を考える。この時、状態が移行した素子は全てＧｎｄ電位に接続されるものとする。この場合、（I）データ電位≦７かつ選択された走査電極電位≦１０の場合。（II）データ電極電位≦７かつ選択された走査電極電位≧１０の場合。（III）データ電極電位≧７の場合。（I）〜（III）の３種類に分けてそれぞれ、非選択な走査電極電位、データ電極電位、有機ＥＬ素子に流れる電流値を求めると時間をｔとして、
（I）の場合、非選択な走査電極電位＝０．５５８・１０６・ｔ＋６（Ｖ）、データ電極電位＝０．８２３・１０６・ｔ（Ｖ）、有機ＥＬ素子に流れる電流値＝０である。又、この時間はｔ≦８．５７・１０−６且つ、ｔ≦７．１７・１０−６より、ｔ≦７．１７・１０−６（秒）である。
（II）の場合、非選択な走査電極電位＝１８−１３．３・ＥＸＰ（−１０６・ｔ／１４．２）（Ｖ）、データ電極電位＝１２−１３．３・ＥＸＰ（−１０6・ｔ／１４．２）＋０．２６５・１０6・ｔ（Ｖ）、有機ＥＬ素子に流れる電流値＝０である。又、この時間は７．１７・１０−６≦ｔ≦８．５７・１０−６（秒）である。
（III）の場合、非選択な走査電極電位＝１８−１３．３・ＥＸＰ（−１０6・ｔ／１４．２）（Ｖ）、データ電極電位＝１２−５５．１・ＥＸＰ（−６９．７・１０3・ｔ）＋３９．５・ＥＸＰ（−５２．９・１０3・ｔ）（Ｖ）、有機ＥＬ素子に流れる電流値＝６０・１０−６・（５−５５．１・ＥＸＰ（−６９．７・１０3・ｔ）＋３９．５・ＥＸＰ（−５２．９・１０3・ｔ）である。又、この時間は８．５７・１０−６≦ｔである。
【００３１】
実施例１．比較例１を図示すると図１９（Ａ），図１９（Ｂ）のようになり、輝度が回復する時間が短くなることが解る。つまり、この駆動方法を採用することにより、高階調表現が実現可能となるものである。輝度回復時間は比較例より実施例のほうが２／３時間で済むので高階調表現に有利であることが解る。
【実施例２】
【００３２】
図１６に示されるように、Ｍ行Ｎ列のマトリックス形状に配置された有機ＥＬ発光素子をＮ列を3等分に分割し、それぞれの領域に３／３階調、２／３階調、１／３階調のデータが入力された場合について考える（図１７参照）。ここで、階調とはその値が大きいほど発光している時間が長いものである。今、データが入力されていたデータ電極をハイインピーダンス状態、または、フローティング状態にする場合について考える。尚、設計パラメータは実施例1と同様とする。ハイインピーダンス状態、または、フローティング状態に切り替える時間は図１７のように行うものとする。そしてそれぞれの走査電極とデータ電極の状態を図１４（Ａ）〜図１５（Ｃ）に示す。図９の発光状態から図１４（Ａ）に示す状態に移行する場合、定電流源の電流は走査ドライバの電流より小さいので、無視できるとすると、Ｖｏ＝Ｖｄ1＋（１／ＮＣ）・∫Ｉｄ１・ｄｔである。ここで、陰極が走査電極に接続され、陽極がフローティング状態にある発光素子に流れる電流をＩｄ１とし、電圧をＶｄ１とする。（尚、初期条件：ｔ＝ｔ０（ハイインピーダンス状態、または、フローティング状態に切り替わった瞬間）でＶｄ１＝１２である。）尚、簡単のため、走査ドライバの電圧Ｖｏは定数としている（Ｖｓ＝Ｖｏ−Ｒ・Ｉｓ）。又、Ｖｄ＝７＋５・ＥＸＰ（−５・１０−６・ｔ／２４）である。次に図１４（Ｂ）に移行する場合はＶｏ＝Ｒ・Ｉｓ＋（１／ＮＣ）・∫Ｉｓ・ｄｔである。これより、Ｉｓを求めることができる。（尚、初期条件：ｔ＝１０でＩｓ＝（Ｖｓ＝Ｖｃ１である。）ここで、Ｖｃ１とは図１４（Ａ）の状態で発光素子の陰極が非選択な走査電極電位に接続され、陽極がハイインピーダンス状態、または、フローティング状態にある発光素子が（Ａ）の期間に充電された電位を示す。又、Ｖｓ＝１８−１０．５・ＥＸＰ（−５・１０−６・（ｔ−１０・１０−６）／２４）となる。Ｖｄ≦７（ｔ≦１３．９）では、Ｉｄ＝０であり、Ｖｄ＝１２−１３．５・ＥＸＰ（−５・１０6・（ｔ−１０・１０−６）／２４）＋５０・１０6・（ｔ−１０・１０−６）／１８９である。Ｖｄ≧７（ｔ≧１３．９）ではＶｄ＝１２−１４．１・ＥＸＰ（−５・１０6・（ｔ−１０・１０−６）／２４）＋１．５４・ＥＸＰ（−１０・１０6・（ｔ−１０・１０−６）／１８９）であり、Ｉｄ＝（３００−８４６・ＥＸＰ（−５・１０6・（ｔ−１０・１０−６）／２４）＋９２．４・ＥＸＰ（−１０・１０6・（ｔ−１０・１０−６）／１８９）・１０−６である。次に図１４（Ｂ）から図１４（Ｃ）→図１５（Ａ）→図１５（Ｂ）→図１５（Ｃ）に以降する場合は、図１４（Ａ）、図１４（Ｂ）に移行する場合と同様に求めることができる。図１４（Ｃ）、図１５（Ａ）の場合は図１４（Ａ）、図１４（Ｂ）のＣを２Ｃとする。図１５（Ｂ）の場合は図１４（Ａ）のＣを３Ｃとする。３／３階調が選択されたデータ電極に接続された発光素子に流れる電流をＩｄ３、電圧をＶｄ３として、２／３階調が選択されたデータ電極に接続された発光素子に流れる電流をＩｄ２、電圧をＶｄ２とすると、図１４（Ｃ）、図１５（Ａ）の場合、Ｖｄ２＝７＋５・ＥＸＰ（−５・１０6・（ｔ−２０・１０−６）／２４）である。Ｉｄ２＝６０・１０−６・��ｄ２−４２０・１０−６である。Ｖｏ＝１８−７．２・ＥＸＰ（−５・１０6・（ｔ−３０・１０−６）／４８）である。Ｖｄ３＝１２−４．２３・ＥＸＰ（−５・１０6・（ｔ−３０・１０−６）／４８）であり、Ｉｄ３＝６０・１０−６・Ｖｄ３−４２０・１０−６である。図１５（Ｂ）の場合、Ｖｄ３＝７＋５・ＥＸＰ（−５・１０6・（ｔ−４０・１０−６）／１４４）である。又、Ｉｄ３＝６０・１０−６・Ｖｄ３−４２０・１０−６である。
[比較例２]
【００３３】
図１６に示されるように、Ｍ行Ｎ列のマトリックス形状に配置された有機ＥＬ発光素子をＮ列を３等分に分割し、それぞれの領域に３／３階調、２／３階調、１／３階調のデータが入力された場合について考える（図１８参照）。ここで、階調とはその値が大きいほど発光している時間が長いものである。今、一般的な階調を実現する場合について考える。尚、設計パラメータは比較例1と同様とする。Ｇｎｄ電位に切り替える時間は図１８のように行うものとする。図９の発光状態から図１４（Ｂ）に示す状態に移行する場合、定電流源の電流は走査ドライバの電流より小さいので、無視できるとすると、Ｖｏ＝Ｒ・Ｉｓ＋（１／ＮＣ）・∫Ｉｓ・ｄｔである。これより、Ｉｓを求めることができる。（尚、初期条件：ｔ＝ｔ０でＩｓ＝（Ｖｏ−Ｖｃｏ）／Ｒである。）ここで、Ｖｃｏは２４０／３＝８０列に蓄積された電荷による電位分である。尚、簡単のため、走査ドライバの電圧Ｖｏは定数としている（Ｖｓ＝Ｖｏ−Ｒ・Ｉｓと）。ここで、定電流源に陽極が、走査電極電位に陰極が接続されている発光素子の電流をそれぞれ図９に示すようにＩｄ、Ｉ２、Ｉ３とすると、データ電極がオンの状態のデータ電極の電位（陽極）は以下に示される。Ｖｄ＝Ｖｓ＋∫Ｉ２・ｄｔ／（Ｍ−１）である。（初期条件：ｔ＝ｔ０でＶｄ＝０）ここで、Ｖｄ≦７ではＩ２＝ＩＣ２である。Ｖｄ≧７ではＩ２＝ＩＣ２−Ｉｄ＝ＩＣ２−６０・１０−６・Ｖｄ＋４２０・１０−６を代入してＶｓ求めると、Ｖｓ＝１８−１２・ＥＸＰ（−５・１０−６・ｔ／２４）となる。ここで、ＩＣ２、ＩＣ３は定電流源の電流値である。尚ここで、ｔは１／３階調のデータがオフになった瞬間の時間を０として示している。Ｖｄ≦７（ｔ≦３．４）では、Ｉｄ＝０であり、Ｖｄ＝１２−１２・ＥＸＰ（−５・１０6・ｔ／２４）＋５０・１０6・ｔ／１８９である。Ｖｄ≧７（ｔ≧３．４）では、Ｖｄ＝１２−１６．１・ＥＸＰ（−５・１０6・ｔ／２４）＋３．５１・ＥＸＰ（−１０・１０6・ｔ／１８９）であり、Ｉｄ＝（３００−９６６・ＥＸＰ（−５・１０6・ｔ／２４）＋２１１・ＥＸＰ（−１０・１０6・ｔ／１８９）・１０−６である。次に図１４（Ｂ）から図１５（Ａ）の状態に以降する場合は、Ｖｏ＝Ｒ・Ｉｓ＋（１／２ＮＣ）・∫Ｉｓ・ｄｔである。Ｖｏ＝１８−６・ＥＸＰ（−５・１０6・（ｔ−２０・１０−６）／４８）である。Ｖｄ≦７（ｔ≦２５．８）では、Ｉｄ＝０であり、Ｖｄ＝１２−１２・ＥＸＰ（−５・１０6・（ｔ−２０・１０−６）／４８）＋５０・１０6・ｔ／１８９である。Ｖｄ≧７（ｔ≧２５．８）では、Ｖｄ＝１２−１２・ＥＸＰ（−５・１０6・（ｔ−２０・１０−６）／４８）＋２．２７・ＥＸＰ（−１０・１０6・（ｔ−２０・１０−６）／１８９）であり、Ｉｄ＝（３００−７３２・ＥＸＰ（−５・１０6・（ｔ−２０・１０−６）／４８）＋１３６．２・ＥＸＰ（−１０・１０6・（ｔ−２０・１０−６）／１８９）・１０−６である。
【００３４】
実施例２．比較例２の３／３階調が選択されたデータ電極に流れる電流を図示すると図２０（Ａ）、図２０（Ｂ）のようになる。これより、実施例のほうが輝度も低下を抑えることが可能であることが解る。実施例では輝度回復率は３／３階調で７８．７％であり比較例では４０．３％である。これより、ハイインピーダンス状態、または、フローティング状態にしてからＧｎｄ電位に接続することで、輝度低下を抑えることが可能であることが解る。
【符号の説明】
【００３５】
１０１：有機EL表示器
１０２：走査電極駆動部
１０３：データ電極駆動部
１０４：主制御部
１０５：表示制御部
１０６：表示データ記憶部
２１：基板
２２：基板
２３：引き出し電極
２４：引き出し電極
【図１】
2010170140.tif 000003
【図２】
2010170140.tif 000004
【図３】
2010170140.tif 000005
【図４】
2010170140.tif 000006
【図５】
2010170140.tif 000007
【図６】
2010170140.tif 000008
【図７】
2010170140.tif 000009
【図８】
2010170140.tif 000010
【図９】
2010170140.tif 000011
【図１０】
2010170140.tif 000012
【図１１】
2010170140.tif 000013
【図１２】
2010170140.tif 000014
【図１３】
2010170140.tif 000015
【図１４】
2010170140.tif 000016
【図１５】
2010170140.tif 000017
【図１６】
2010170140.tif 000018
【図１７】
2010170140.tif 000019
【図１８】
2010170140.tif 000020
【図１９】
2010170140.tif 000021
【図２０】
2010170140.tif 000022
【図２１】
2010170140.tif 000023
【図２２】
2010170140.tif 000024